(57)【要約】【課題】この発明は、どのメーカ製の機器で情報が記録されたディスクに対しても、ファイナライズ処理が施される前における記録情報の再生を可能としたディスク再生装置及びディスク再生方法を提供することを目的としている。【解決手段】ナビゲーションデータを有するRZoneが先頭に配置され、続いてナビゲーションデータで管理されるプレゼンテーションデータを有するRZoneが配置された形態で複数のタイトルが記録されるとともに、RZoneの位置情報が記録された記録管理領域（ＲＭＤ）を有するディスク（１１）を再生する装置であって、ファイナライズ処理が施されていないと判別されたディスク（１１）からナビゲーションデータを有するRZoneを検出し、検出されたRZoneの位置情報をタイトルの開始位置を示す情報として保存し、タイトル再生開始位置として使用する。【選択図】    図１
2005122821.tif 000002
【特許請求の範囲】
【請求項１】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクに対して、その記録管理領域から特定の前記RZoneに対する位置情報を取得する位置情報取得手段と、
前記位置情報取得手段で取得された位置情報で示される前記RZoneのデータを取得するデータ取得手段と、
前記データ取得手段で取得されたデータが前記ナビゲーションデータであるか否かを判別するナビゲーションデータ判別手段と、
前記ナビゲーションデータ判別手段によりナビゲーションデータであると判別されたRZoneの位置情報を、前記タイトルの開始位置を示す情報として保存し、タイトル再生開始位置として使用する記録手段とを具備したことを特徴とするディスク再生装置。
【請求項２】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報及びサイズ情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクに対して、その記録管理領域から全てのRZoneに対する位置情報及びサイズ情報を取得する取得手段と、
前記取得手段で取得されたサイズ情報に基づいて同一サイズのRZoneをグルーピングするグルーピング手段と、
前記グルーピング手段でグルーピングされたRZoneに対して、ナビゲーションデータであることのシンタックスチェックを行なって有効性を確認する有効性確認手段と、
前記有効性確認手段で有効であると確認されたRZoneに対して、前記取得手段で取得された位置情報を前記タイトルの開始位置を示す情報として保存し、タイトル再生開始位置として使用する記録手段とを具備したことを特徴とするディスク再生装置。
【請求項３】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクから、特定のタイトルを構成するRZoneのうち、ナビゲーションデータを有するRZoneを検出する第１のRZone検出手段と、
前記第１のRZone検出手段で検出されたRZoneに続くRZoneのデータを、前記特定のタイトルを構成する最後のRZoneまで順次読み取ることにより、前記特定のタイトルを構成するRZoneの数を検出する数検出手段と、
ファイナライズ処理が施されていないと判別された前記ディスクから、前記特定のタイトルとは異なるタイトルを構成するRZoneのうち、ナビゲーションデータを有するRZoneを検出する第２のRZone検出手段と、
前記第２のRZone検出手段で検出されたRZoneに続くRZoneからのデータ読み取りを、前記数検出手段で検出された数のRZoneだけスキップさせるスキップ手段と、
前記第１及び第２のRZone検出手段で検出されたRZoneの位置情報を前記タイトルの開始位置を示す情報として保存し、タイトル再生開始位置として使用する記録手段とを具備したことを特徴とするディスク再生装置。
【請求項４】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクから、前記ナビゲーションデータを有するRZoneを検出する検出手段と、
前記検出手段で検出されたRZoneの位置情報を前記タイトルの開始位置を示す情報として保存し、タイトル再生開始位置として使用する記録手段とを具備したことを特徴とするディスク再生装置。
【請求項５】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報及びサイズ情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクから、同一サイズのRZoneを検出する検出手段と、
前記検出手段で検出されたRZoneのうち前記ナビゲーションデータを有するRZoneの位置情報を前記タイトルの開始位置を示す情報として保存し、タイトル再生開始位置として使用する記録手段とを具備したことを特徴とするディスク再生装置。
【請求項６】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する装置であって、
前記ディスクに対してファイナライズ処理が施されているか否かを判別するファイナライズ処理判別手段と、
前記ファイナライズ処理判別手段によりファイナライズ処理が施されていないと判別されたディスクから、特定のタイトルを構成するRZoneのうち、ナビゲーションデータを有するRZoneとそれに続くRZoneのデータとを順次読み取ることにより、前記特定のタイトルを構成するRZoneの数を検出する数検出手段と、
前記特定のタイトルとは異なるタイトルを構成するRZoneのうち、ナビゲーションデータを有するRZoneに続くRZoneからのデータ読み取りを、前記数検出手段で検出された数のRZoneだけスキップさせるスキップ手段と、
前記ナビゲーションデータを有するRZoneの位置情報を前記タイトルの開始位置を示す情報として保存し、タイトル再生開始位置として使用する記録手段とを具備したことを特徴とするディスク再生装置。
【請求項７】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する装置であって、
前記ナビゲーションデータを有するRZoneの位置情報を、前記タイトルの開始位置を示す情報として保存し、タイトル再生開始位置として使用することを特徴とするディスク再生装置。
【請求項８】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する方法であって、
前記ディスクに対してファイナライズ処理が施されているか否かを判別する工程と、
ファイナライズ処理が施されていないと判別されたディスクに対して、その記録管理領域から特定の前記RZoneに対する位置情報を取得する工程と、
取得された位置情報で示される前記RZoneのデータを取得する工程と、
取得されたデータが前記ナビゲーションデータであるか否かを判別する工程と、
ナビゲーションデータであると判別されたRZoneの位置情報を、前記タイトルの開始位置を示す情報として保存し、タイトル再生開始位置として使用する工程とを具備したことを特徴とするディスク再生方法。
【請求項９】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報及びサイズ情報が記録された記録管理領域を有するディスクを再生する方法であって、
前記ディスクに対してファイナライズ処理が施されているか否かを判別する工程と、
ファイナライズ処理が施されていないと判別されたディスクに対して、その記録管理領域から全てのRZoneに対する位置情報及びサイズ情報を取得する工程と、
取得されたサイズ情報に基づいて同一サイズのRZoneをグルーピングする工程と、
グルーピングされたRZoneに対して、ナビゲーションデータであることのシンタックスチェックを行なって有効性を確認する工程と、
有効であると確認されたRZoneに対して、前記位置情報を前記タイトルの開始位置を示す情報として保存し、タイトル再生開始位置として使用する工程とを具備したことを特徴とするディスク再生方法。
【請求項１０】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する方法であって、
前記ディスクに対してファイナライズ処理が施されているか否かを判別する工程と、
ファイナライズ処理が施されていないと判別されたディスクから、特定のタイトルを構成するRZoneのうち、ナビゲーションデータを有するRZoneを検出する第１の検出工程と、
前記第１の検出工程で検出されたRZoneに続くRZoneのデータを、前記特定のタイトルを構成する最後のRZoneまで順次読み取ることにより、前記特定のタイトルを構成するRZoneの数を検出する数検出工程と、
ファイナライズ処理が施されていないと判別された前記ディスクから、前記特定のタイトルとは異なるタイトルを構成するRZoneのうち、ナビゲーションデータを有するRZoneを検出する第２の検出工程と、
前記第２の検出工程で検出されたRZoneに続くRZoneからのデータ読み取りを、前記数検出工程で検出された数のRZoneだけスキップさせる工程と、
前記第１及び第２の検出工程で検出されたRZoneの位置情報を前記タイトルの開始位置を示す情報として保存し、タイトル再生開始位置として使用する工程とを具備したことを特徴とするディスク再生方法。
【請求項１１】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する方法であって、
前記ディスクに対してファイナライズ処理が施されているか否かを判別する工程と、
ファイナライズ処理が施されていないと判別されたディスクから、前記ナビゲーションデータを有するRZoneを検出する工程と、
検出されたRZoneの位置情報を前記タイトルの開始位置を示す情報として保存し、タイトル再生開始位置として使用する工程とを具備したことを特徴とするディスク再生方法。
【請求項１２】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報及びサイズ情報が記録された記録管理領域を有するディスクを再生する方法であって、
前記ディスクに対してファイナライズ処理が施されているか否かを判別する工程と、
ファイナライズ処理が施されていないと判別されたディスクから、同一サイズのRZoneを検出する工程と、
検出されたRZoneのうち前記ナビゲーションデータを有するRZoneの位置情報を前記タイトルの開始位置を示す情報として保存し、タイトル再生開始位置として使用する工程とを具備したことを特徴とするディスク再生方法。
【請求項１３】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する方法であって、
前記ディスクに対してファイナライズ処理が施されているか否かを判別する工程と、
ファイナライズ処理が施されていないと判別されたディスクから、特定のタイトルを構成するRZoneのうち、ナビゲーションデータを有するRZoneとそれに続くRZoneのデータとを順次読み取ることにより、前記特定のタイトルを構成するRZoneの数を検出する工程と、
前記特定のタイトルとは異なるタイトルを構成するRZoneのうち、ナビゲーションデータを有するRZoneに続くRZoneからのデータ読み取りを、検出された数のRZoneだけスキップさせる工程と、
前記ナビゲーションデータを有するRZoneの位置情報を前記タイトルの開始位置を示す情報として保存し、タイトル再生開始位置として使用する工程とを具備したことを特徴とするディスク再生方法。
【請求項１４】
ナビゲーションデータを有するRZoneが先頭に配置され、続いて前記ナビゲーションデータで管理されるプレゼンテーションデータを有するRZoneが配置された形態で複数のタイトルが記録されるとともに、前記RZoneの位置情報が記録された記録管理領域を有するディスクを再生する方法であって、
前記ナビゲーションデータを有するRZoneの位置情報を、前記タイトルの開始位置を示す情報として保存し、タイトル再生開始位置として使用することを特徴とするディスク再生方法。
【発明の詳細な説明】
【技術分野】
【０００１】
この発明は、例えば追記型の光ディスクを再生するディスク再生装置及びディスク再生方法に係り、特にそのファイナライズ処理が施される前のディスクからデータ再生を行なうものに関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、＋ＲＷ、追記可能なＤＶＤ−Ｒ（Recordable）等がある。
【０００４】
この場合、追記型の光ディスクは、記録の終了処理、いわゆるファイナライズ処理を施すことにより、市販されているどのＤＶＤ記録再生機器によっても再生することができるように互換性を持たせることができる。
【０００５】
ところで、ファイナライズ処理が施される前においては、光ディスクに記録されたＤＶＤビデオタイトルを、ＤＶＤ記録再生機器の各製造メーカ毎に独自に作成した管理テーブルを用いて、光ディスク上で管理するようにしている。
【０００６】
このため、所定のメーカ製のＤＶＤ記録再生機器で記録した光ディスクは、ファイナライズ処理が施される前は、そのメーカ製のＤＶＤ記録再生機器でなければ再生することができず、他メーカ製のＤＶＤ記録再生機器との互換が図られていないのが現状である。
【０００７】
特許文献１には、ファイナライズ処理時間を短くする技術が開示されているが、ファイナライズ処理が施される前の光ディスクを、どのメーカ製のＤＶＤ記録再生機器でも再生可能なように互換性を図ることについては言及されていないものである。
【特許文献１】特開２００３−１３２６３０号公報
【発明の開示】
【発明が解決しようとする課題】
【０００８】
そこで、この発明は上記事情を考慮してなされたもので、どのメーカ製の機器で情報が記録されたディスクに対しても、ファイナライズ処理が施される前における記録情報の再生を可能としたディスク再生装置及びディスク再生方法を提供することを目的とする。
【課題を解決するための手段】
【０００９】
この発明に係るディスク再生装置は、ナビゲーションデータを有するRZoneが先頭に配置され、続いてナビゲーションデータで管理されるプレゼンテーションデータを有するRZoneが配置された形態で複数のタイトルが記録されるとともに、RZoneの位置情報が記録された記録管理領域を有するディスクを再生する装置であって、
ディスクに対してファイナライズ処理が施されているか否かを判別するファイナライズ処理判別手段と、ファイナライズ処理判別手段によりファイナライズ処理が施されていないと判別されたディスクに対して、その記録管理領域から特定のRZoneに対する位置情報を取得する位置情報取得手段と、位置情報取得手段で取得された位置情報で示されるRZoneのデータを取得するデータ取得手段と、データ取得手段で取得されたデータがナビゲーションデータであるか否かを判別するナビゲーションデータ判別手段と、ナビゲーションデータ判別手段によりナビゲーションデータであると判別されたRZoneの位置情報を、タイトルの開始位置を示す情報として保存し、タイトル再生開始位置として使用する記録手段とを備えるようにしたものである。
【００１０】
また、この発明に係るディスク再生方法は、ナビゲーションデータを有するRZoneが先頭に配置され、続いてナビゲーションデータで管理されるプレゼンテーションデータを有するRZoneが配置された形態で複数のタイトルが記録されるとともに、RZoneの位置情報が記録された記録管理領域を有するディスクを再生する方法であって、
ディスクに対してファイナライズ処理が施されているか否かを判別する工程と、ファイナライズ処理が施されていないと判別されたディスクに対して、その記録管理領域から特定のRZoneに対する位置情報を取得する工程と、取得された位置情報で示されるRZoneのデータを取得する工程と、取得されたデータがナビゲーションデータであるか否かを判別する工程と、ナビゲーションデータであると判別されたRZoneの位置情報を、タイトルの開始位置を示す情報として保存し、タイトル再生開始位置として使用する工程とを備えるようにしたものである。
【発明の効果】
【００１１】
上記した発明によれば、ディスクからナビゲーションデータを有するRZoneを検出し、検出されたRZoneの位置情報をタイトルの開始位置を示す情報として保存し、タイトル再生開始位置として使用するようにしたので、どのメーカ製の機器で情報が記録されたディスクに対しても、ファイナライズ処理が施される前における記録情報の再生を可能とすることができる。
【発明を実施するための最良の形態】
【００１２】
以下、この発明の実施の形態について図面を参照して詳細に説明する。図１は、この実施の形態で説明するディスク記録再生装置を示している。このディスク記録再生装置は、記録媒体としてＤＶＤ−Ｒを含む光ディスクとハードディスクとの両方を取り扱うことができるものとしているが、記録媒体としては、例えば半導体メモリ等を用いることも可能である。
【００１３】
すなわち、図１に示すディスク記録再生装置は、大きく分けると、図中左側に記録側の主なブロックが存在し、図中右側に再生側の主なブロックが存在し、図中下部に制御側の主なブロックが存在している。
【００１４】
そして、このディスク記録再生装置は、２種類のディスクドライブ部を有する。まず、ビデオファイルを構築できる情報記録媒体である第1のメディアとしての光ディスク１１を回転駆動し、情報の読み書きを実行するディスクドライブ部１２を有する。また、このディスク記録再生装置は、第２のメディアとしてのハードディスク１３ａを駆動するＨＤＤ（Hard Disk Drive）部１３を有する。
【００１５】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系等を有する。Ｄ−ＰＲＯ部１４は、記録または再生単位のデータを取り扱うもので、バッファ回路、変調・復調回路、エラー訂正部等を含んでいる。
【００１６】
また、このディスク記録再生装置は、記録側を構成するエンコーダ部１５と、再生側を構成するデコーダ部１６と、装置本体の動作を制御するマイクロコンピュータブロック１７とを、主たる構成要素としている。
【００１７】
エンコーダ部１５は、入力されたアナログビデオ信号及びアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１８】
エンコーダ部１５の出力は、バッファメモリ１８を含むフォーマッタ１９にて所定のＤＶＤ−Ｖｉｄｅｏフォーマットに変換され、先のＤ−ＰＲＯ部１４に供給される。
【００１９】
エンコーダ部１５には、Ａ／Ｖ（Audio Video）入力部２０から得られる外部アナログビデオ信号と外部アナログオーディオ信号、または、ＴＶ（Television）チューナー部２１から得られるアナログビデオ信号とアナログオーディオ信号が入力される。
【００２０】
なお、エンコーダ部１５は、圧縮されたデジタルビデオ信号及びデジタルオーディオ信号が直接入力されるときは、この圧縮されたデジタルビデオ信号及びデジタルオーディオ信号を、直接フォーマッタ１９に供給することも可能である。
【００２１】
また、エンコーダ部１５は、アナログデジタル変換されたデジタルビデオ信号及びオーディオ信号を、Ｖ（Video）ミクシング部２２及びオーディオセレクタ２３に直接供給することもできる。
【００２２】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。デジタルオーディオ信号は、ＭＰＥＧまたはＡＣ（Audio Compression）−３規格に基づいて、固定ビットレートで圧縮されたデジタルオーディオ信号、または、リニアＰＣＭ（Pulse Code Modulation）のデジタルオーディオ信号に変換される。
【００２３】
副映像信号がＡ／Ｖ入力部２０から入力された場合（例えば副映像信号の独立出力端子付ＤＶＤビデオプレーヤからの信号等）、または、このようなデータ構成のＤＶＤビデオ信号が放送されそれがＴＶチューナー部２１で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ１９にてパック化され、ビデオパック、オーディオパック、副映像パックとなり、さらに、これらのパックが集合されて、ＤＶＤ−Ｖｉｄｅｏ規格［例えばＤＶＤ−ＲＡＭ、ＤＶＤ−ＲＷ、ＤＶＤ−Ｒ等に記録する規格］で規定されたフォーマットに変換される。
【００２５】
ここで、図１に示したディスク記録再生装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２６】
また、ハードディスク１３ａまたは光ディスク１１に記録された情報を、Ｄ−ＰＲＯ部１４及びディスクドライブ部１２を介して、光ディスク１１またはハードディスク１３ａに記録することもできる。
【００２７】
マイクロコンピュータブロック１７は、ＭＰＵ（Micro Processing Unit）１７ａとメモリ部１７ｂとを含んでいる。メモリ部１７ｂは、ＭＰＵ１７ａが実行する制御プログラム等を格納したＲＯＭと、ＭＰＵ１７ａにプログラム実行に必要なワークエリアを提供するためのＲＡＭとを含んでいる。
【００２８】
マイクロコンピュータブロック１７の実行結果のうち、ユーザに通知すべき内容は、ディスク記録再生装置に内蔵の表示部２４に表示されるか、または、外部接続されたモニタディスプレイ２５にＯＳＤ（On Screen Display）表示される。また、マイクロコンピュータブロック１７は、この装置を操作するための操作信号を与えるキー入力部２６を有する。
【００２９】
なお、上記マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００３０】
デコーダ部１６は、パック構造を持つＤＶＤ−Ｖｉｄｅｏフォーマットの信号から各パックを分離して取り出すセパレータと、パック分離及びその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするＡ（Audio）デコーダとを有する。また、デコードされた主映像にデコードされた副映像を適宜合成し、主映像に、メニュー、ハイライトボタン、字幕及びその他の副映像を重ねて出力するビデオプロセッサを備えている。
【００３１】
デコーダ部１６の出力ビデオ信号は、Ｖミクシング部２２に入力される。Ｖミクシング部２２では、テキストデータの合成が行なわれる。また、Ｖミクシング部２２には、ＴＶチューナー部２１またはＡ／Ｖ入力部２０からの信号を直接取り込むラインも接続されている。
【００３２】
Ｖミクシング部２２には、バッファとして用いるフレームメモリ部２８が接続されている。Ｖミクシング部２２の出力がアナログ出力の場合は、Ｉ／Ｆ（Interface）２９を介して外部に出力され、デジタル出力の場合は、Ｄ／Ａ（Digital／Analog）変換器３０を介して外部のモニタディスプレイ２５に出力される。
【００３３】
デコーダ部１６の出力オーディオ信号は、セレクタ２３を介してＤ／Ａ変換器３１でアナログ変換され、外部接続されたスピーカ３２に出力される。セレクタ２３は、マイクロコンピュータブロック１７からのセレクト信号により制御される。これにより、セレクタ２３は、Ａ／Ｖ入力部２０またはＴＶチューナー部２１からのデジタル信号を直接モニタするとき、エンコーダ部１５をスルーした信号を直接選択することが可能となる。
【００３４】
図２は、光ディスク１１上におけるＤＶＤビデオタイトルの配置を示している。ＤＶＤビデオタイトルは、再生を制御するためのナビゲーションデータ（ＶＴＳＩ：ＩＦＯファイル）と、映像及び音声データの総称であるプレゼンテーションデータ（ＶＴＳＭ＿ＶＯＢＳ、ＶＴＳＴＴ＿ＶＯＢＳ：ＶＯＢファイル）と、ナビゲーションデータのバックアップ（ＶＴＳＩ＿ＢＵＰ：ＢＵＰファイル）とから構成されることが、ＤＶＤビデオ規格で決められている。
【００３５】
ナビゲーションデータのバックアップは、ナビゲーションデータと全く同じ内容であって、ナビゲーションデータが読めない場合のために用意されているデータである。このため、通常の再生では、必要とされない。
【００３６】
これらのファイルの光ディスク１１上の配置は、必ずしも物理的に連続した領域に記録される必要はないが、ＤＶＤビデオタイトルの先頭にナビゲーションデータが位置し、続いてプレゼンテーションデータ、ナビゲーションデータのバックアップの順になるように相対的な記録位置が決められている。
【００３７】
図３は、プレゼンテーションデータ（ＶＴＳＴＴ＿ＶＯＢＳ、ＶＴＳＭ＿ＶＯＢＳ）を再生するための制御情報等が記載された、ナビゲーションデータ（ＶＴＳＩ）を構成するビデオ・タイトル・セット情報を示している。
【００３８】
図４は、ビデオ・タイトル・セット情報管理テーブル（ＶＴＳＩ＿ＭＡＴ）のフォーマットを示している。このテーブルには、プレゼンテーションデータに含まれるタイトルの映像属性（ＶＴＳ＿Ｖ＿ＡＴＲ）、音声属性（ＶＴＳ＿ＡＳＴ＿ＡＴＲ）とともに、プレゼンテーションデータのメニュー記録位置（ＶＴＳＭ＿ＶＯＢＳ＿ＳＡ）、タイトル記録位置（ＶＴＳＴＴ＿ＶＯＢＳ＿ＳＡ）に関する情報が記載されている。
【００３９】
プレゼンテーションデータのアドレス情報（ＶＴＳＴＴ＿ＶＯＢＳ＿ＳＡ）は、本ナビゲーションデータ（ＶＴＳＩ）の先頭からの相対アドレスで記録されている。つまり、ナビゲーションデータが正しく読み出せれば、プレゼンテーションデータを読み出すことは可能となる。
【００４０】
ナビゲーションデータの内容は、プレゼンテーションデータの再生方法を制御するための情報であるため、全プレゼンテーションデータの記録が完了するまでは確定することができない。
【００４１】
このため、直接録画の場合には、光ディスク１１への書き込みはプレゼンテーションデータが完了した後に行なわれる。ダビング等のように、既に記録済みのプレゼンテーションデータをコピーする場合等は、確定済みのデータを元に移動・コピーを行なうため、ナビゲーションデータを記録した後、プレゼンテーションデータを記録することも可能である。
【００４２】
次に、図５を用いて光ディスク１１としてＤＶＤ−Ｒディスクにおける記録領域の構成について説明する。図５は、ＤＶＤ−Ｒディスクの半径方向に対する記録領域の配置を示している。
【００４３】
この書き込み可能なＤＶＤ−Ｒディスクには、その内周側から外周側に向けて、出力較正領域ＰＣＡ（Power Calibration Area）と記録管理領域ＲＭＡ（Recording Management Area）とを順次配置した記録情報領域（Ｒ−Information Area）が設けられている。
【００４４】
また、ＤＶＤ−Ｒディスクにデータを記録することにより、さらに、リードイン領域、データ領域、リードアウト領域からなる情報領域（Information Area）が配置されることとなる。
【００４５】
このうち、データ領域は、データが記録される領域である。リードイン領域は、データ領域の内側に隣接して設けられている。リードアウト領域は、データ領域の外側に隣接して設けられている。
【００４６】
これらのリードイン領域及びリードアウト領域は、ファイナライズ処理が施される際に管理用の所定のデータが記録され、これによりデータ領域に記録されたデータの再生を制御することが可能となる。
【００４７】
出力較正領域ＰＣＡは、データ領域にデータを記録する前に試し記録するための領域である。記録管理領域ＲＭＡは、データを管理する領域（RZone）のアドレスを記録するための領域である。
【００４８】
ＤＶＤ−Ｒディスクに対して、その内周側から外周側向けて連続して記録を行なう場合には、管理領域（RZone）は１つでよいが、不連続に書き込みを行なう必要がある場合には、RZoneという領域を複数ディスク内に持つことで書き込みを可能としている。
【００４９】
このための書き込みモードがＩＷＭ（Incremental Write Mode）であって、ユーザデータは、図６に示すように複数の領域（RZone）に分けて管理される。このRZone自体のアドレスは、記録管理領域ＲＭＡに記録される。各RZoneの終端には、次のRZoneが正しく読み出し可能となるように、ガード領域ＢＳＧＡ（Block Sync Guard Area）が書き込まれている。
【００５０】
図７は、ＤＶＤ−Ｒディスクに不連続にデータを記録する方法を示している。まず、データ記録が開始（ステップＳ１）されると、マイクロコンピュータブロック１７は、ステップＳ２で、ＤＶＤ−Ｒディスクのデータ領域の先頭位置から、後で書き込みを行なう領域（RZone１）を予約する。
【００５１】
これにより、ＤＶＤ−Ｒディスクには、次の領域（RZone２）への書き込みが可能となるので、マイクロコンピュータブロック１７は、ステップＳ３で、領域（RZone２）に記録を行ない、ステップＳ４で、領域（RZone２）をクローズする。
【００５２】
次に、マイクロコンピュータブロック１７は、ステップＳ５で、領域（RZone１）に戻り、領域（RZone２）に記録したデータの管理用のデータの記録を行ない、ステップＳ６で、領域（RZone１）をクローズして、データ記録処理を終了（ステップＳ７）する。
【００５３】
図８は、ＤＶＤ−Ｒディスクに対してＤＶＤビデオタイトルを記録するシーケンスを示している。また、図９は、このシーケンスに対応したＤＶＤ−Ｒディスク上のデータレイアウトを示している。
【００５４】
すなわち、データが未記録のＤＶＤ−Ｒディスクにデータ記録が開始（ステップＳ８）されると、マイクロコンピュータブロック１７は、ステップＳ９で、ＤＶＤ−Ｒディスクのデータ領域の先頭位置から、後で書き込みを行なう領域（RZone１）を予約する。
【００５５】
この領域（RZone１）は、ファイルシステム及びディスク全体のタイトルを管理するための情報が書かれるＶＭＧ（Video Manager）領域として予約される。これらの情報は、全タイトルの記録が完了した時点でファイナライズ処理の中で記録される。
【００５６】
これにより、ＤＶＤ−Ｒディスクには、領域（RZone１）の直後のデータ領域からＤＶＤビデオタイトルが記録される。すなわち、マイクロコンピュータブロック１７は、ステップＳ１０で、ナビゲーションデータを記録するための領域（RZone２）を予約し、ステップＳ１１で、RZone２の直後の領域（RZone３）にプレゼンテーションデータを記録する。
【００５７】
プレゼンテーションデータが記録されることにより、ＤＶＤビデオタイトルを再生するための管理情報が確定するため、マイクロコンピュータブロック１７は、RZone３に記録されたプレゼンテーションデータのナビゲーションデータを生成し、ステップＳ１２で、そのナビゲーションデータのバックアップを、領域（RZone３）のプレゼンテーションデータの直後に記録する。
【００５８】
その後、マイクロコンピュータブロック１７は、ステップＳ１３で、領域（RZone３）をクローズし、ステップＳ１４で、領域（RZone２）に戻ってナビゲーションデータを記録し、ステップＳ１５で、領域（RZone２）をクローズして、ＤＶＤビデオタイトルの記録処理を終了（ステップＳ１６）する。
【００５９】
以上の動作が繰り返されて、ＤＶＤ−Ｒディスクに複数のＤＶＤビデオタイトルを記録することができる。そして、ファイナライズ処理が施されたとき、最初に予約した領域（RZone１）にファイルシステム及びディスク全体のタイトルを管理するための情報が書き込まれて、領域（RZone１）がクローズされる。
【００６０】
図１０は、上記記録管理領域ＲＭＡの詳細を示し、図１１は、記録管理領域ＲＭＡを構成するＲＭＤ内における、各RZoneの開始アドレスを管理するField４の詳細を示している。
【００６１】
記録管理領域ＲＭＡは、リードイン及び複数のＲＭＤから構成され、ディスク内の全RZoneの管理情報が記録される。ＲＭＤ内のField４には、RZone１からRZone２５４に対するそれぞれの開始セクタ及び終了セクタが記録され、RZoneが管理可能となっているる。ＤＶＤ−Ｒディスクの場合には、ＲＭＤが更新される毎に、新しいＲＭＤにRZone情報を記録する。
【００６２】
図８及び図９の説明では、１タイトルが２つのRZoneで構成される例を示したが、この場合には、Field４の管理テーブルに１タイトルあたり２個のRZone情報が記録される。
【００６３】
図１２は、ＲＭＤを用いてRZoneの情報からＤＶＤビデオタイトルの開始位置をサーチするためのシーケンスを示している。まず、RZoneのアクセス要求により処理が開始（ステップＳ１７）されると、マイクロコンピュータブロック１７は、ステップＳ１８で、ＤＶＤ−Ｒディスクにファイナライズ処理が施されているか否かを判別する。
【００６４】
そして、ファイナライズ処理が施されていると判断された場合（ＹＥＳ）、マイクロコンピュータブロック１７は、ステップＳ１９で、ＤＶＤ−Ｒディスクに対して通常の再生処理モードに移行する。
【００６５】
また、上記ステップＳ１８でファイナライズ処理が施されていないと判断された場合（ＮＯ）、マイクロコンピュータブロック１７は、ステップＳ２０で、RZoneの番号ｉを１に設定し、ステップＳ２１で、ＲＭＤの情報からＤＶＤ−Ｒディスクに記録されているRZoneの数を取得する。
【００６６】
その後、マイクロコンピュータブロック１７は、ステップＳ２２で、ＤＶＤ−ＲディスクからRZone（ｉ）に関するＲＭＤを読み出し、そのＲＭＤ情報から得られるRZone（ｉ）の開始アドレスに基づいて、RZone（ｉ）のデータを読み取る。
【００６７】
そして、マイクロコンピュータブロック１７は、ステップＳ２３で、RZone（ｉ）のデータがナビゲーションデータであるか否かのシンタックスチェックを行ない、ナビゲーションデータであると判断された場合（ＹＥＳ）、ステップＳ２４で、そのRZone（ｉ）の開始アドレスをメモリ部１７ａに保存する。
【００６８】
このステップＳ２４の後、または、上記ステップＳ２３で、RZone（ｉ）のデータがナビゲーションデータでないと判断された場合（ＮＯ）、マイクロコンピュータブロック１７は、ステップＳ２５で、RZoneの番号ｉがステップＳ２１で取得したRZoneの数を越えたか否か、つまり、次のRZoneがＤＶＤ−Ｒディスク上に存在するか否かを判別する。
【００６９】
そして、RZoneの番号ｉがRZoneの数を越えていないと判断された場合（ＮＯ）、マイクロコンピュータブロック１７は、ステップＳ２６で、ｉを＋１してステップＳ２２の処理に戻り、RZoneの番号ｉがRZoneの数を越えていると判断された場合（ＹＥＳ）、処理を終了（ステップＳ２７）する。
【００７０】
すなわち、ＤＶＤ−Ｒディスク上の全てのRZoneからナビゲーションデータの記録されているRZoneを検出し、そのRZoneの開始アドレスを保存するようにしたので、ファイナライズ処理が施される前のＤＶＤ−Ｒディスクに対して、記録されている全てのＤＶＤビデオタイトルの開始アドレスのリストを作成することが可能となる。
【００７１】
これにより、どのメーカ製の機器で情報が記録されたＤＶＤ−Ｒディスクに対しても、ファイナライズ処理が施される前におけるＤＶＤビデオタイトルの再生を可能とすることができる。
【００７２】
次に、この発明の他の実施の形態について説明する。すなわち、図１３に示すように、ナビゲーションデータは、上記した通り、プレゼンテーションデータが記録された後で記録されるため、その記録領域（RZone）は固定サイズで予約される。一方、プレゼンテーションデータは、記録する際の映像及び音声の圧縮レート、圧縮モード、記録時間等で変動するため、その記録領域（RZone）のサイズは不定長となる。
【００７３】
そこで、ＤＶＤ−Ｒディスク上から同じサイズのRZoneを検出すれば、その検出されたRZoneにナビゲーションデータが記録されている可能性は高く、そのRZoneをＤＶＤ−ビデオタイトルの開始位置を示す情報を取得する候補とすることが可能となる。
【００７４】
そして、このようにすれば、ＤＶＤ−Ｒディスク上からＲＭＤの情報に基づいてサイズの同じRZoneを検出すればよいので、ナビゲーションデータが記録されているRZoneの検出を高速化することが可能となる。
【００７５】
図１４は、サイズの同じRZoneを検出し、その情報からＤＶＤビデオタイトルの開始位置をサーチするためのシーケンスを示している。まず、ＤＶＤビデオタイトルの開始位置を取得する処理が開始（ステップＳ２８）されると、マイクロコンピュータブロック１７は、ステップＳ２９で、ＤＶＤ−Ｒディスクにファイナライズ処理が施されているか否かを判別する。
【００７６】
そして、ファイナライズ処理が施されていると判断された場合（ＹＥＳ）、マイクロコンピュータブロック１７は、ステップＳ３０で、ＤＶＤ−Ｒディスクに対して通常の再生処理モードに移行する。
【００７７】
また、上記ステップＳ２９でファイナライズ処理が施されていないと判断された場合（ＮＯ）、マイクロコンピュータブロック１７は、ステップＳ３１で、ＲＭＤからＤＶＤ−Ｒディスクに記録されているRZoneに関する情報の読み出しを実行する。
【００７８】
そして、マイクロコンピュータブロック１７は、ステップＳ３２で、全てのRZoneに関する情報が取得されたと判断された場合（ＹＥＳ）、ステップＳ３３で、全てのRZoneのサイズ情報を取得し、ステップＳ３４で、各RZoneをサイズによりグルーピングする。このように、サイズが同じRZoneを集めることで、そのRZoneを、ＤＶＤビデオタイトルの開始位置を示す情報を取得する候補とすることが可能となる。
【００７９】
その後、マイクロコンピュータブロック１７は、ステップＳ３５で、これらの候補に対して、ＤＶＤビデオタイトルの先頭に記録されるべきＶＴＳＩが記録されていること、つまり、ナビゲーションデータであることのシンタックスチェックを行なうことで有効性を確認する。
【００８０】
そして、有効であると確認されたRZoneに対して、マイクロコンピュータブロック１７は、ステップＳ３６で、その開始アドレスをメモリ部１７ｂに保存することにより、ＤＶＤビデオタイトルの開始位置を決定して、処理を終了（ステップＳ３７）する。
【００８１】
上記のような手法によれば、ナビゲーションデータが記録されているRZoneの検出を迅速に行なうことが可能となり、ひいてはＤＶＤビデオタイトルの開始位置を示す情報を取得する動作を高速化することができる。
【００８２】
また、このような高速化手法を取り入れることによって、ＤＶＤビデオタイトルの削除等の編集作業により、ＤＶＤ−Ｒディスク上にＤＶＤビデオタイトル以外の情報を残すための独立したRZoneを記録した場合でも、そのRZoneは上記したシーケンスでＤＶＤビデオタイトルの開始位置情報を有するRZoneの候補とならないため有効である。
【００８３】
次に、この発明のさらに他の実施の形態について説明する。すなわち、図１５に示すように、ＤＶＤ−Ｒディスクに複数のＤＶＤビデオタイトル１，２が記録されている場合、それぞれのＤＶＤビデオタイトル１，２を構成するRZoneの数は、そのＤＶＤ−Ｒディスク内で同数であると想定することができる。
【００８４】
そこで、特定のＤＶＤビデオタイトルのナビゲーションデータが記録されたRZoneが検出されたとき、そのＤＶＤビデオタイトルを構成するRZoneの数を検出し、その次のＤＶＤビデオタイトルのナビゲーションデータが記録されたRZoneが検出された場合は、その数だけRZoneをスキップさせるようにする。
【００８５】
このようにすれば、ＤＶＤビデオタイトルが複数のRZoneによって構成されている場合でも、ナビゲーションデータの含まれないRZoneの情報読み取りを行なわなくて済み、ナビゲーションデータが記録されているRZoneの検出を高速化することが可能となる。
【００８６】
また、スキップによって到達したRZoneの次のRZoneにナビゲーションデータが記録されている可能性は高く、そのRZoneをＤＶＤ−ビデオタイトルの開始位置を示す情報を取得する候補とすることも可能となる。
【００８７】
図１６及び図１７は、ＤＶＤビデオタイトルを構成するRZoneの数を検出し、以後、ＤＶＤビデオタイトルの先頭が検出されたとき、その数だけRZoneをスキップさせてＤＶＤビデオタイトルの開始位置をサーチするためのシーケンスを示している。
【００８８】
まず、ＤＶＤビデオタイトルの開始位置を取得する処理が開始（ステップＳ３８）されると、マイクロコンピュータブロック１７は、ステップＳ３９で、ＤＶＤ−Ｒディスクにファイナライズ処理が施されているか否かを判別する。
【００８９】
そして、ファイナライズ処理が施されていると判断された場合（ＹＥＳ）、マイクロコンピュータブロック１７は、ステップＳ４０で、ＤＶＤ−Ｒディスクに対して通常の再生処理モードに移行する。
【００９０】
また、上記ステップＳ３９でファイナライズ処理が施されていないと判断された場合（ＮＯ）、マイクロコンピュータブロック１７は、ステップＳ４１で、RZoneの番号ｉを１に設定し、ステップＳ４２で、ＤＶＤ−ＲディスクからRZone（ｉ）に関するＲＭＤを読み出し、そのＲＭＤ情報から得られるRZone（ｉ）の開始アドレスに基づいて、RZone（ｉ）のデータを読み取る。
【００９１】
そして、マイクロコンピュータブロック１７は、ステップＳ４３で、RZone（ｉ）のデータがナビゲーションデータであるか否か、つまり、RZone（ｉ）がＤＶＤビデオタイトルの先頭であるか否かを判別し、ナビゲーションデータでないと判断された場合（ＮＯ）、ステップＳ４４で、ｉを＋１して、ステップＳ４２の処理に戻される。
【００９２】
また、上記ステップＳ４３でRZone（ｉ）のデータがナビゲーションデータであると判断された場合（ＹＥＳ）、マイクロコンピュータブロック１７は、ステップＳ４５で、ｉを+１した後、ステップＳ４６で、ＤＶＤ−ＲディスクからRZone（ｉ）に関するＲＭＤを読み出し、そのＲＭＤ情報から得られるRZone（ｉ）の開始アドレスに基づいて、RZone（ｉ）のデータを読み取る。
【００９３】
そして、マイクロコンピュータブロック１７は、ステップＳ４７で、RZone（ｉ）がＤＶＤビデオタイトルの最後のRZoneであるか否かを判別し、タイトルの最後のRZoneでないと判断された場合（ＮＯ）、ステップＳ４５の処理に戻される。
【００９４】
また、上記ステップＳ４７でRZone（ｉ）がＤＶＤビデオタイトルの最後のRZoneであると判断された場合（ＹＥＳ）、マイクロコンピュータブロック１７は、ステップＳ４８で、そのRZoneの開始アドレスを、ＤＶＤビデオタイトルの先頭のアドレスとしてメモリ部１７ｂに保存し、ステップＳ４９で、そのＤＶＤビデオタイトルを構成するRZoneの数ｎを決定する。
【００９５】
その後、マイクロコンピュータブロック１７は、ステップＳ５０で、ｉを+１し、ステップＳ５１で、RZone（ｉ）がＤＶＤ−Ｒディスクに記録された最後のRZoneであるか否かを判別し、最後のRZoneであると判断された場合（ＹＥＳ）、処理を終了（ステップＳ５２）する。
【００９６】
また、上記ステップＳ５１でRZone（ｉ）がＤＶＤ−Ｒディスクに記録された最後のRZoneでないと判断された場合（ＮＯ）、マイクロコンピュータブロック１７は、ステップＳ５３で、ＤＶＤ−ＲディスクからRZone（ｉ）に関するＲＭＤを読み出し、そのＲＭＤ情報から得られるRZone（ｉ）の開始アドレスに基づいて、RZone（ｉ）のデータを読み取る。
【００９７】
その後、マイクロコンピュータブロック１７は、ステップＳ５４で、RZone（ｉ）がＤＶＤビデオタイトルの先頭であるか否かを判別し、先頭でないと判断された場合（ＮＯ）、ステップＳ５５で、ｉを＋１して、ステップＳ５１の処理に戻される。
【００９８】
また、上記ステップＳ５４でRZone（ｉ）がＤＶＤビデオタイトルの先頭であると判断された場合（ＹＥＳ）、マイクロコンピュータブロック１７は、ステップＳ５６で、そのRZoneの開始アドレスを、ＤＶＤビデオタイトルの先頭のアドレスとしてメモリ部１７ｂに保存し、ステップＳ５７で、ｉを＋ｎして、ステップＳ５１の処理に戻される。
【００９９】
ここで、図１４に示した高速化処理と、図１６及び図１７に示した高速化処理とは、それぞれ独立に動作可能であり、両処理を組み合わせることもできる。
【０１００】
また、上記した各実施の形態では、光ディスク１１としてＤＶＤ−Ｒディスクを例に説明したが、この発明は、ＩＷＭでディスクにＤＶＤ−Ｖｉｄｅｏフォーマットデータをリアルタイムで記録する全てのメディアを対象とすることができる。例えば、ＤＶＤ−ＲＷディスクに対してＩＷＭで記録する場合等にも適用される。
【０１０１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１０２】
【図１】この発明の実施の形態を示すもので、ディスク記録再生装置を説明するために示すブロック構成図。
【図２】同実施の形態における光ディスク上のＤＶＤビデオタイトルの配置を説明するために示す図。
【図３】同実施の形態におけるＤＶＤビデオタイトルの中のＶＴＳＩの詳細を説明するために示す図。
【図４】同実施の形態におけるＶＴＳＩの中のＶＴＳＩ＿ＭＡＴの詳細を説明するために示す図。
【図５】同実施の形態におけるＤＶＤ−Ｒディスクの記録領域の構成を説明するために示す図。
【図６】同実施の形態におけるユーザデータが複数のRZoneに分けて管理されることを説明するために示す図。
【図７】同実施の形態におけるＤＶＤ−Ｒディスクに不連続にデータを記録する動作を説明するために示すフローチャート。
【図８】同実施の形態におけるＤＶＤ−ＲディスクにＤＶＤビデオタイトルを記録する動作を説明するために示すフローチャート。
【図９】同実施の形態におけるＤＶＤ−Ｒディスク上のデータレイアウトを説明するために示す図。
【図１０】同実施の形態におけるＤＶＤ−Ｒディスクの記録管理領域ＲＭＡの詳細を説明するために示す図。
【図１１】同実施の形態における記録管理領域ＲＭＡを構成するＲＭＤ内の各RZoneの開始アドレスを管理するField４の詳細を説明するために示す図。
【図１２】同実施の形態におけるＲＭＤを用いてRZoneの情報からＤＶＤビデオタイトルの開始位置情報を取得する動作を説明するために示すフローチャート。
【図１３】この発明の他の実施の形態を示すもので、ナビゲーションデータの記録されたRZoneが固定長であることを説明するために示す図。
【図１４】同実施の形態におけるナビゲーションデータの記録されたRZoneの検出を高速化する動作を説明するために示すフローチャート。
【図１５】この発明のさらに他の実施の形態を示すもので、各ＤＶＤビデオタイトルを構成するRZoneの数が同数であることを説明するために示す図。
【図１６】同実施の形態におけるナビゲーションデータの記録されたRZoneの検出を高速化する動作の一部を説明するために示すフローチャート。
【図１７】同実施の形態におけるナビゲーションデータの記録されたRZoneの検出を高速化する動作の残部を説明するために示すフローチャート。
【符号の説明】
【０１０３】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミクシング部、２３…セレクタ、２４…表示部、２５…モニタ、２６…キー入力部、２７…ＳＴＣ、２８…フレームメモリ部、２９…Ｉ／Ｆ、３０，３１…Ｄ／Ａ変換器、３２…スピーカ。
【図１】
2005122821.tif 000003
【図２】
2005122821.tif 000004
【図３】
2005122821.tif 000005
【図４】
2005122821.tif 000006
【図５】
2005122821.tif 000007
【図６】
2005122821.tif 000008
【図７】
2005122821.tif 000009
【図８】
2005122821.tif 000010
【図９】
2005122821.tif 000011
【図１０】
2005122821.tif 000012
【図１１】
2005122821.tif 000013
【図１２】
2005122821.tif 000014
【図１３】
2005122821.tif 000015
【図１４】
2005122821.tif 000016
【図１５】
2005122821.tif 000017
【図１６】
2005122821.tif 000018
【図１７】
2005122821.tif 000019